(57)【要約】      （修正有）【課題】舌背上面部及び左右両側面部に溜まった舌苔等が確実に除去出来、かつ、任意な位置で支持棒を固着可能に設けることで、密着性・安全性。操作性に優れ、かつ、スペアブラシ収納部を設けることで、衛生的で使い勝手の良い湾曲型鍵状舌掻きブラシを提供する。【解決手段】把持部本体１ａ先端左右に所定間隔離して平行に設けた支持棒の軸間寸法を任意に調整可能に設けた把持部１と、軟質鍵状ブラシの左右係止穴部に、支持棒１ｂ，１ｂ’の左右先端部をそれぞれ嵌挿し、固着して設けたプラスチック等の軟質樹脂製鍵状ブラシ２から成り、かつ、鍵状舌掻きブラシを使用時は、左右支持棒の軸間寸法を任意に調整して、軟質樹脂製鍵状ブラシを使用者の舌の形状に適合した湾曲形状に折り曲げ形成して使用するものである。【選択図】図１
0003174026.tif 000002
【実用新案登録請求の範囲】
【請求項１】
舌背上面部及び左右両側面部に溜まった舌苔等の異物を軽く擦って除去する湾曲型鍵状舌掻きブラシであって、該湾曲型鍵状舌掻きブラシ（ＴＢ）は、把持部本体（１ａ）先端左右に所定間隔（Ｌ）離して平行に設けた支持棒（１ｂ）（１ｂ'）の軸間寸法を任意に調整可能に設けた把持部（１）と、軟質鍵状ブラシ（２）の左右係止穴部（２ｂ）（２ｂ'）に、支持棒の左右先端部をそれぞれ嵌挿し、固着して設けたプラスチック等の軟質樹脂製鍵状ブラシ（２）から成り、且つ、鍵状舌掻きブラシ（ＴＢ）を使用時は、左右支持棒（１ｂ）（１ｂ'）の軸間寸法（Ｌ）を任意に調整して、軟質樹脂製鍵状ブラシ（２）を使用者の舌（Ｔ）の形状に適合した湾曲形状に折り曲げ形成して使用することを特徴とする湾曲型鍵状舌掻きブラシ。
【請求項２】
鍵状舌掻きブラシ（ＴＢ）の左右支持棒（１ｂ）（１ｂ'）は、左右にそれぞれ柔軟に撓む樹脂等の軟質部材とし、且つ、該支持棒の先端部に太鼓状係止部（１ｃ）（１ｃ'）をそれぞれ形成して設け、且つ、樹脂製鍵状ブラシ（２）の左右に設けた係止穴部（２ｂ）（２ｂ'）を、支持棒左右先端の太鼓状係止部に適合する太鼓状にそれぞれ形成して設け、支持棒先端に挿着して設けた軟質樹脂製鍵状ブラシ（２）が柔軟に湾曲するよう設けたことを特徴とする請求項１記載の湾曲型鍵状舌掻きブラシ。
【請求項３】
鍵状舌掻きブラシ（ＴＢ）の支持棒の長手方向略中間部の左右支持棒（１ｂ）（１ｂ'）間の垂直方向に、一つ、又は、複数段階に固着可能に設けた鍵状固定部材（１ｄ）（１ｄ'）をそれぞれ設けて、左右支持棒（１ｂ）（１ｂ'）の軸間寸法（Ｌ）を任意に調整し、且つ、固着可能に設けたことを特徴とする請求項１記載の湾曲型鍵状舌掻きブラシ。
【請求項４】
鍵状舌掻きブラシ（ＴＢ）の把持部本体（１ａ）の後端部に、左右支持棒の先端に挿着する、スペア用軟質樹脂製鍵状ブラシ（２'）を、複数収納可能な収納部（１ｅ）を形成して設けたことを特徴とする請求項１記載の湾曲型鍵状舌掻きブラシ。
【請求項５】
鍵状舌掻きブラシ（ＴＢ）の左右支持棒先端部に設けた、軟質樹脂製鍵状ブラシ（２）の毛（２ｄ）の先端部は、挿入方向の前方側にＲ形状部（２ｄ'）を、挿入方向の後方側に鍵状部（２ｄ"）をそれぞれ有し、且つ、舌掻き使用時に、口孔部（ＭＨ）に鍵状舌掻きブラシ（ＴＢ）を挿入する際、鍵状ブラシの毛先が後方に倒れてスムーズに挿入出来、掻き出し時は、鍵形状部が起立して舌（Ｔ）の表面部及び左右両側面部に付着した舌苔等の異物（ＴＦ）を確実に剥離可能に設けたことを特徴とする請求項１記載の湾曲型鍵状舌掻きブラシ。
【請求項６】
挟着型鍵状舌掻きブラシ（ＴＢ'）の左右支持棒（１ｂ）（１ｂ'）先端部に、独立した挟着型樹脂製鍵状ブラシ（２"）（２"）をそれぞれ挿着して設け、且つ、舌掻き使用時は、左右支持棒を掴んで舌の上下にブラシの表面をそれぞれ挟着して使用可能に設けたことを特徴とする請求項１記載の湾曲型鍵状舌掻きブラシ。
【考案の詳細な説明】
【技術分野】
【０００１】
この考案は、舌背上面部及び左右両側面部に溜まった舌苔等を軽く擦って除去する湾曲型鍵状舌掻きブラシに関するものである。
【背景技術】
【０００２】
舌の背上面部及び左右両側面部に溜まった舌苔は、剥離上皮細胞や、白血球、口腔内細菌の塊からできており、その広範な舌面積からデンタルプラーク（歯垢）よりも細菌数が多いといわれ、口臭の原因となり、デンチャープラークやデンタルプラーク（歯垢）の供給元、発生源となっており、舌苔を除去することは、口臭の除去のほか、義歯性カンジダ症や、歯牙のう蝕予防に、関節的な繋がりがあることが報告されている。
【０００３】
ところで、従来の舌の清掃用具は、帯状又は板状のフレーム先端で舌背上面をしごくヘラタイプと、ブラシタイプの２種類に大別される。
【０００４】
更に、ヘラタイプは、ヘラ本体が金属製やプラスチック製の剛性タイプと、シリコン製ソフトタイプの２種類に分けられる。
【０００５】
又、ブラシタイプは、歯ブラシ状に毛を植え込んだものや、Ｙ字状の枠体に植毛したワイヤを左右に張り渡したものがあるが、これらは舌全体を清掃する上において、特に、舌の側面等を清掃する場合、ブラシの頭部が歯に干渉して、清掃が難しいという問題があった。
【０００６】
又、舌の表面は柔らかく、これまで市販されている通常のブラシでは、材質も堅く、毛先も角張ったものが多く、舌に優しいブラシとは言い難いものであった。
【先行技術文献】
【特許文献】
【０００７】
これまでに出願されている舌ブラシの特許文献を参考の為、紹介する（特許文献１〜２参照）。
【特許文献１】特開平９−２９４６８８
【特許文献２】特開２００１−０２９１３６
【０００８】
上記、一方の特許文献１では、柄とその先端に設けられたクリーナ部とで構成され、クリーナ部には抗菌剤を含有する軟質材によって形成された舌掻き部を備えると共に、該軟質材の硬度が７０〜８５であることを特徴とするものである。
【０００９】
又、上記、他方の特許文献２では、把持柄の先端両側部に、舌背の舌苔を掻きこする外方へ湾曲したブラシ体の少なくとも、一部及びブラシ体の内側を覆い、ブラシ体により掻き取られた舌苔をため込むスプーン状のカバーを設けたものである。
【考案の開示】
【考案が解決しようとする課題】
【００１０】
そこで、上記課題を解決する為に、この考案は舌背上面部及び左右両側面部に溜まった舌苔等が確実に除去出来、且つ、任意な位置で支持棒を固着可能に設けることで、密着性・安全性。操作性に優れ、且つ、スペアブラシ収納部を設けることで、衛生的で使い勝手の良い湾曲型鍵状舌掻きブラシを開発・提供する事にある。
【課題を解決するための手段】
【００１１】
この課題を解決するための手段として、把持部本体先端左右に所定間隔離して平行に設けた支持棒の軸間寸法を任意に調整可能に設けた把持部と、軟質鍵状ブラシの左右係止穴部に、支持棒の左右先端部をそれぞれ嵌挿し、固着して設けたプラスチック等の軟質樹脂製鍵状ブラシから成り、且つ、鍵状舌掻きブラシを使用時は、左右支持棒の軸間寸法を任意に調整して、軟質樹脂製鍵状ブラシを使用者の舌の形状に適合した湾曲形状に折り曲げ形成して使用するものである。
【００１２】
又、鍵状舌掻きブラシの左右支持棒は、左右にそれぞれ柔軟に撓む樹脂等の軟質部材とし、且つ、該支持棒の先端部に太鼓状係止部をそれぞれ形成して設け、且つ、樹脂製鍵状ブラシの左右に設けた係止穴部を、支持棒左右先端の太鼓状係止部に適合する太鼓状にそれぞれ形成して設け、支持棒先端に挿着して設けた軟質樹脂製鍵状ブラシが柔軟に湾曲するよう設けたことを特徴とするものである。
【００１３】
又、鍵状舌掻きブラシの支持棒の長手方向略中間部の左右支持棒間の垂直方向に、一つ、又は、複数段階に固着可能に設けた鍵状固定部材をそれぞれ設けて、左右支持棒の軸間寸法を任意に調整し、且つ、固着可能に設けたことを特徴とするものである。
【００１４】
又、鍵状舌掻きブラシの把持部本体の後端部に、左右支持棒の先端に挿着する、スペア用軟質樹脂製鍵状ブラシを、複数収納可能な収納部を形成して設けたことを特徴とするものである。
【００１５】
又、鍵状舌掻きブラシの左右支持棒先端部に設けた、軟質樹脂製鍵状ブラシの毛の先端部は、挿入方向の前方側にＲ形状部を、挿入方向の後方側に鍵状部をそれぞれ有し、且つ、舌掻き使用時に、口孔部に鍵状舌掻きブラシを挿入する際、鍵状ブラシの毛先が後方に倒れてスムーズに挿入出来、掻き出し時は、鍵形状部が起立して舌の表面部及び左右両側面部に付着した舌苔等の異物を確実に剥離可能に設けたことを特徴とするものである。
【考案の効果】
【００１６】
この考案の効果として、把持部本体先端左右に所定間隔離して平行に設けた支持棒の軸間寸法を任意に調整可能に設けた把持部と、軟質鍵状ブラシの左右係止穴部に、支持棒の左右先端部をそれぞれ嵌挿し、固着して設けたプラスチック等の軟質樹脂製鍵状ブラシから成り、又、鍵状舌掻きブラシの左右支持棒は、左右にそれぞれ柔軟に撓む樹脂等の軟質部材とし、且つ、該支持棒の先端部に太鼓状係止部をそれぞれ形成して設け、且つ、樹脂製鍵状ブラシの左右に設けた係止穴部を、支持棒左右先端の太鼓状係止部に適合する太鼓状にそれぞれ形成して設け、支持棒先端に挿着して設けた軟質樹脂製鍵状ブラシが柔軟に湾曲するよう設けたことで、舌背上面部及び左右両側面部を、舌の形状に密着させて擦ることが出来、確実に綺麗に舌苔が除去出来る。且つ、支持棒が二分割され、軟質鍵状ブラシが湾曲する為、歯に干渉することも無く、掃除が楽に出来る。又、鍵状舌掻きブラシの把持部本体の後端部に、左右支持棒の先端に挿着する、スペア用軟質樹脂製鍵状ブラシを、複数収納可能な収納部を形成して設けたことで、スペア用の軟質鍵状ブラシのみならず、使用後に軟質鍵状ブラシを支持棒から取り外して、収納部に保管することが可能であり、衛生的にも優れており、又、鍵状舌掻きブラシの支持棒の長手方向略中間部の左右支持棒間の垂直方向に、一つ、又は、複数段階に固着可能に設けた鍵状固定部材をそれぞれ設けて、左右支持棒の軸間寸法を任意に調整し、且つ、固着可能に設けたことで、任意の位置で左右の支持棒が固着出来、安定した形状を保持可能とすることで、取扱いや調整が楽に出来る等、極めて有益なる効果を奏するものである。
【図面の簡単な説明】
【００１７】
【図１】この考案の一実施例を示す、湾曲型鍵状舌掻きブラシの全体斜視図である。
【図２】この考案の一実施例を示し、（Ａ）は湾曲型鍵状舌掻きブラシの把持部と軟質鍵状ブラシの分離要領を示す斜視図で、（Ｂ）は図２（Ａ）のａ部の軟質鍵状ブラシの拡大詳細図である。
【図３】この考案の一実施例を示し、（Ａ）は湾曲型鍵状舌掻きブラシの平面図で、（Ｂ）は正面図である。
【図４】この考案の一実施例を示し、図３（Ａ）のａ−ａ矢視拡大断面図である。
【図５】この考案の一実施例を示し、図３（Ａ）のｂ−ｂ矢視拡大断面図である。
【図６】この考案の一実施例を示し、図３（Ｂ）のｄ矢視拡大詳細図である。
【図７】この考案の一実施例を示し、図３（Ａ）のｃ−ｃ矢視拡大断面図である。
【図８】この考案の一実施例を示し、左右両端支持棒間寸法とブラシ形状を示す関係図である。
【図９】この考案の使用例を示し、（Ａ）は舌背上面部の清掃時で、（Ｂ）は舌左右側面部の清掃時の取扱い要領図である。
【図１０】この考案のその他の使用例を示し、舌上下両面部の清掃時の取扱い要領図である。
【考案を実施するための形態】
【００１８】
この考案を実施するための形態として、舌背上面部及び左右両側面部に溜まった舌苔等の異物を軽く擦って除去する湾曲型鍵状舌掻きブラシであって、該湾曲型鍵状舌掻きブラシ（ＴＢ）は、把持部本体（１ａ）先端左右に所定間隔（Ｌ）離して平行に設けた支持棒（１ｂ）（１ｂ'）の軸間寸法を任意に調整可能に設けた把持部（１）と、軟質鍵状ブラシ（２）の左右係止穴部（２ｂ）（２ｂ'）に、支持棒の左右先端部をそれぞれ嵌挿し、固着して設けたプラスチック等の軟質樹脂製鍵状ブラシ（２）から成り、且つ、鍵状舌掻きブラシ（ＴＢ）を使用時は、左右支持棒（１ｂ）（１ｂ'）の軸間寸法（Ｌ）を任意に調整して、軟質樹脂製鍵状ブラシ（２）を使用者の舌（Ｔ）の形状に適合した湾曲形状に折り曲げ形成して使用することを特徴とする湾曲型鍵状舌掻きブラシから構成される。
【００１９】
又、鍵状舌掻きブラシ（ＴＢ）の左右支持棒（１ｂ）（１ｂ'）は、左右にそれぞれ柔軟に撓む樹脂等の軟質部材とし、且つ、該支持棒の先端部に太鼓状係止部（１ｃ）（１ｃ'）をそれぞれ形成して設け、且つ、樹脂製鍵状ブラシ（２）の左右に設けた係止穴部（２ｂ）（２ｂ'）を、支持棒左右先端の太鼓状係止部に適合する太鼓状にそれぞれ形成して設け、支持棒先端に挿着して設けた、軟質樹脂製鍵状ブラシ（２）が柔軟に湾曲するよう設けたことを特徴とする湾曲型鍵状舌掻きブラシから構成される。
【００２０】
又、鍵状舌掻きブラシ（ＴＢ）の支持棒の長手方向略中間部の左右支持棒（１ｂ）（１ｂ'）間の垂直方向に、一つ、又は、複数段階に固着可能に設けた鍵状固定部材（１ｄ）（１ｄ'）をそれぞれ設けて、左右支持棒（１ｂ）（１ｂ'）の軸間寸法（Ｌ）を任意に調整し、且つ、固着可能に設けたことを特徴とする湾曲型鍵状舌掻きブラシから構成される。
【００２１】
又、鍵状舌掻きブラシ（ＴＢ）の把持部本体（１ａ）の後端部に、左右支持棒の先端に挿着する、スペア用軟質樹脂製鍵状ブラシ（２'）を、複数収納可能な収納部（１ｅ）を形成して設けたことを特徴とする湾曲型鍵状舌掻きブラシから構成される。
【００２２】
又、鍵状舌掻きブラシ（ＴＢ）の左右支持棒先端部に設けた軟質樹脂製鍵状ブラシ（２）の毛（２ｄ）の先端部は、挿入方向の前方側にＲ形状部（２ｄ'）を、挿入方向の後方側に鍵状部（２ｄ"）をそれぞれ有し、且つ、舌掻き使用時に、口孔部（ＭＨ）に鍵状舌掻きブラシ（ＴＢ）を挿入する際、鍵状ブラシの毛先が後方に倒れてスムーズに挿入出来、掻き出し時は、鍵形状部が起立して舌（Ｔ）の表面部及び左右両側面部に付着した舌苔等の異物（ＴＦ）を確実に剥離可能に設けたことを特徴とする湾曲型鍵状舌掻きブラシから構成される。
【実施例１】
【００２３】
そこで、この考案の一実施例を図１〜図７に基づいて詳述すると、本考案の湾曲型鍵状舌掻きブラシ（ＴＢ）は、図１に示すように、主に把持部（１）と、弓状に湾曲する軟質樹脂製鍵状ブラシ（２）から成り、該軟質樹脂製鍵状ブラシは、把持部の先端左右にそれぞれ設けた支持棒先端に挿着して使用し、着脱式に成っている。そして、一方側の把持部（１）は、先端部を閉塞し、且つ、後端部にネジ部（１ａ'）付のキャップを螺着して設けた略円筒状の把持部本体（１ａ）を設け、且つ、該把持部本体先端の左右両端左右には、柔軟に撓む樹脂等の軟質棒部材を平行に一体形成して設け、且つ、支持棒（１ｂ）（１ｂ'）先端部には、太鼓状係止部（１ｃ）（１ｃ'）をそれぞれ形成して設け、更に、前記左右支持棒の長手方向の軸間のほぼ中間部に、複数段階に固着可能に設けた鍵状固定部材（１ｄ）（１ｄ'）をそれぞれ設けて、左右支持棒（１ｂ）（１ｂ'）の軸間寸法（Ｌ）を任意に調整可能にし、且つ、固着可能に設けたものである。そして、他方側の軟質樹脂製鍵状ブラシ（２）は、左右支持棒間を所定間隔（Ｌ）離して連結するための軟質板状連結部（２ｃ）と、該軟質板状連結部の左右両端には、太鼓状の係止穴部（２ｂ）（２ｂ'）を中心部にそれぞれ形成して設けた、円筒状挿着部（２ａ）（２ａ'）をそれぞれ一体に形成して設け、且つ、該軟質板状連結部の上下面側の垂直方向に、先端を鍵状に形成し、且つ、複数列に並設した毛の全体形状を、側面視で山形状にそれぞれ一体形成して設けた軟質樹脂製鍵状ブラシ（２）から構成される。
【００２４】
又、上記の支持棒（１ｂ）（１ｂ'）先端、及び、軟質樹脂製鍵状ブラシ（２）の左右に設けた円筒状挿着部（２ａ）（２ａ'）の係止穴部（２ｂ）（２ｂ'）は、図４に示すように太鼓状にそれぞれ形成し、且つ、材質を軟質の樹脂製にすることで、左右の支持棒を任意に拡げたり、縮めたりすることで、支持棒先端嵌挿部の平行状態が保持出来なくなるのを太鼓状係止部で吸収して調整緩和するためのものである。又、前記、把持部本体先端の左右に設けた支持棒（１ｂ）（１ｂ'）は、軟質の樹脂製の為、左右方向のみならず、それぞれが上下方向にも移動可能な為、様々な舌の形状にも柔軟に対応可能である。
【００２５】
又、上記の軟質樹脂製鍵状ブラシ（２）は、図６に示すように、左右両端に軟質樹脂製の円筒状挿着部（２ａ）（２ａ'）をそれぞれ設け、且つ、左右の円筒状挿着部間に、左右円筒状挿着部（２ａ）（２ａ'）を連結するための軟質板状連結部（２ｃ）を設け、且つ、該軟質板状連結部の上下両面に、先端を鍵状に形成して設け、且つ、図５に示すように、中央部を高くした山形状に縦列させた軟質合成樹脂製の毛（２ｄ）を、左右方向に複数本それぞれ埋設して設け、且つ、該毛（２ｄ）の先端部は、挿入方向の前方側にＲ形状部（２ｄ'）を、挿入方向の後方側に鍵状部（２ｄ"）をそれぞれ有し、且つ、ブラシを柔軟に折り曲げ可能にするために、図８に示すように、湾曲するブラシの内側中央部の毛の間隔を所定寸法だけ、広く空けて埋設している。
【００２６】
又、図７に示すように、上記把持部（１）は、前方側を閉塞し、且つ、後方側にネジ部（１ａ'）付のキャップ（１ａ"）を螺着して設けた、略円筒状の把持部本体（１ａ）と鍵状固定部材（１ｄ）（１ｄ'）を支持棒間にそれぞれ設けて左右支持棒の軸間寸法を任意に調整可能に設けたものである。又、更に把持部本体（１ａ）内に収納部（１ｅ）を設ける事で、複数のスペアブラシ（２'）の収納、及び、未使用時に軟質樹脂製鍵状ブラシを取り外して、収納する事が出来るため、衛生的にも良く、使い勝手も良好である。
【００２７】
続いて、湾曲型鍵状舌掻きブラシの使用方法について説明すると、まず、舌背上面部の舌苔等の異物（ＴＦ）を掻き出す時は、図９（Ａ）に示すように、湾曲型鍵状舌掻きブラシの、ブラシの外面側（大径Ｒ側）を、舌上面形状に合わせた大き目な弓状に湾曲させて、舌背上面部にブラシの外面側（大径Ｒ側）を密着させて、口の外側方向に向けて掻き出す。又、舌の左側面部、又は、右側面部の異物（ＴＦ）を掻き出す時は、図９（Ｂ）に示すように、湾曲型鍵状舌掻きブラシの、ブラシの内面側（小径Ｒ側）を、舌の側面形状に合わせて、適宜調整しながら湾曲させて固定し、舌の側面部にブラシの内面側（小径Ｒ側）を密着させて、口の外側方向に向けて掻き出すものである。
【実施例２】
【００２８】
その他の実施例として、左右支持棒（１ｂ）（１ｂ'）の先端部に、独立した挟着型樹脂製鍵状ブラシ（２"）（２"）をそれぞれ挿着して設けた挟着型鍵状舌掻きブラシ（ＴＢ'）を、舌掻き使用時は、図１０に示すように、左右支持棒を掴んで舌の上下にブラシの表面をそれぞれ挟着して使用することも可能である。
【産業上の利用可能性】
【００２９】
この考案の湾曲型鍵状舌掻きブラシは、舌背上面部及び左右両側面部に溜まった舌苔等の異物が確実に除去出来、且つ、任意な位置で支持棒を固着可能に設けることで、密着性・安全性。操作性に優れ、且つ、スペアブラシ収納部を設けることで、衛生的で使い勝手が良い為、多くの関係市場に寄与する為、産業上の利用可能性を有する。
【符号の説明】
【００３０】
１  把持部
１ａ  把持部本体
１ａ'  ネジ部
１ａ"  キャップ
１ｂ  支持棒（左）
１ｂ'  支持棒（右）
１ｃ  太鼓状係止部（左）
１ｃ'  太鼓状係止部（右）
１ｄ  鍵状固定部材
１ｄ'  鍵状固定部材
１ｅ  収納部
２  軟質樹脂製鍵状ブラシ
２'  スペアブラシ
２"   挟着型軟質樹脂製鍵状ブラシ
２ａ  円筒状挿着部（左）
２ａ'  円筒状挿着部（左）
２ｂ  太鼓状係止穴部（左）
２ｂ'  太鼓状係止穴部（右）
２ｃ  軟質板状連結部
２ｄ  毛
２ｄ'  Ｒ形状部
２ｄ"  鍵状部
Ｉ  ブラシの内側部
Ｌ  所定間隔
Ｌ１  短寸時
Ｌ２  長寸時
ＭＨ  口孔部
Ｏ  ブラシの外側部
Ｔ  舌
ＴＢ  湾曲型鍵状舌掻きブラシ
ＴＢ'  挟着型鍵状舌掻きブラシ
ＴＦ  舌苔等の異物
【図１】
0003174026.tif 000003
【図２】
0003174026.tif 000004
【図３】
0003174026.tif 000005
【図４】
0003174026.tif 000006
【図５】
0003174026.tif 000007
【図６】
0003174026.tif 000008
【図７】
0003174026.tif 000009
【図８】
0003174026.tif 000010
【図９】
0003174026.tif 000011
【図１０】
0003174026.tif 000012